(57)【要約】【課題】灯油よりも沸点が低い液体燃料を用いるバーナにおいて、低燃焼から高燃焼への移行を安全に行えるバーナ及び燃焼装置を提供すること。【解決手段】バーナ２０は、灯油よりも沸点が低い液体燃料を噴射する第１ノズル２１と、灯油よりも沸点が低い液体燃料を第１ノズル２１に向けて吐出する第１ポンプ６３と、第１ポンプ６３と第１ノズル２１との間に配置される第１燃料供給弁６５と、灯油よりも沸点が低い液体燃料を噴射する第２ノズル２２と、灯油よりも沸点が低い液体燃料を第２ノズル２２に向けて吐出する第２ポンプ６６と、第２ポンプ６６と第２ノズル２２との間に配置される第２燃料供給弁６８と、を備え、低燃焼から高燃焼に移行する際に、第１ノズル２１が液体燃料の噴射を継続した状態で第２ノズル２２が液体燃料の噴射を行うことで、燃焼量を増加するように制御される。【選択図】図１
2019109000.tif 000002
【特許請求の範囲】
【請求項１】
灯油よりも沸点が低い液体燃料を噴射する第１ノズルと、
灯油よりも沸点が低い液体燃料を前記第１ノズルに向けて吐出する第１ポンプと、
前記第１ポンプと前記第１ノズルとの間に配置される第１燃料供給弁と、
灯油よりも沸点が低い液体燃料を噴射する第２ノズルと、
灯油よりも沸点が低い液体燃料を前記第２ノズルに向けて吐出する第２ポンプと、
前記第２ポンプと前記第２ノズルとの間に配置される第２燃料供給弁と、を備え、
低燃焼から高燃焼に移行する際に、前記第１ノズルが液体燃料の噴射を継続した状態で前記第２ノズルが液体燃料の噴射を行うことで、燃焼量を増加するように制御されるバーナ。
【請求項２】
請求項１に記載のバーナと、
燃焼室に燃焼用空気を供給する送風機と、
前記送風機により送風される燃焼用空気を前記燃焼室に供給する燃焼用空気供給ラインと、
前記燃焼用空気供給ラインに配置され燃焼用空気量を調整する空気量調整部と、
低燃焼から高燃焼に移行する際に、前記第１ノズルが液体燃料の噴射を継続した状態で前記第２ノズルが液体燃料の噴射を行うことで燃焼量を増加するように制御する燃焼制御部と、を備え、
前記燃焼制御部は、前記第２ノズルから液体燃料の噴射を行ってから所定時間遅れて燃焼用空気を増加させるように前記空気量調整部を制御する燃焼装置。
【発明の詳細な説明】
【技術分野】
【０００１】
本発明は、バーナ及び燃焼装置に関する。
【背景技術】
【０００２】
従来、燃料を噴射するノズルと、燃料をノズルに向けて吐出するポンプと、ポンプとノズルとの間に配置される燃料供給用の電磁弁と、を備えるバーナが知られている。このようなバーナにおいて、ボイラ（燃焼装置）に備えられ、低燃焼から高燃焼に移行する際に、ノズルから噴射する燃料の量を増加させるバーナがある。このようなバーナのポンプには、高燃焼時及び低燃焼時において、燃料を吐出する吐出圧力を一定にする機構を備えるものがある。
【０００３】
吐出圧力を一定にする機構を備えるポンプを使用して低燃焼から高燃焼に移行する際に燃料の供給流量を増加させようとした場合に、電磁弁の開閉動作などの影響により、ポンプの吐出圧力機構の応答遅れ（動作遅れ）が生じ、一時的に、燃料の供給流量が低下することがある。この場合、燃料と燃焼用空気の混合比（空気比）における燃焼用空気の割合が一時的に増加して、燃焼用空気の割合が高い状態で燃焼する可能性がある。
【０００４】
ここで、バーナにおいて、アルコールのような揮発性の高い液体燃料（灯油よりも沸点が低い液体燃料）を用いるものが知られている（例えば、特許文献１参照）。特許文献１に記載のバーナにおいても、上述と同様の理由により、ポンプの吐出圧力機構の応答遅れ（動作遅れ）が生じる可能性がある。また、揮発性の高い液体燃料を使用するバーナは、ノズル内（燃料供給用の電磁弁からノズルチップまでの間）の液体燃料が揮発する虞がある。
【先行技術文献】
【特許文献】
【０００５】
【特許文献１】特開２０１０−２５５９３２号公報
【発明の概要】
【発明が解決しようとする課題】
【０００６】
揮発性の高い液体燃料を使用するバーナは、ポンプの吐出圧力機構の応答遅れ（動作遅れ）に加えて、液体燃料が気化して失われることにより、液体燃料の供給流量の低下が顕著になり、燃焼用空気の割合が高い状態で燃焼する可能性はより高くなる。
【０００７】
また、揮発性の高い液体燃料を使用する場合に、ノズル内（燃料供給用の電磁弁からノズルチップまでの間）の液体燃料が気化して失われることで、低燃焼から高燃焼に移行する際に、バーナの火炎が消えることがある。この場合に、バーナの火炎が消えてから失火判定までの間、加熱されたボイラ（燃焼装置）の燃焼室に、ノズルから液体燃料が噴射し続けられる。これにより、揮発性の高い液体燃料が気化することで、爆発的な燃焼が起こる虞がある。
【０００８】
本発明は、灯油よりも沸点が低い液体燃料を用いるバーナにおいて、低燃焼から高燃焼への移行を安全に行えるバーナ及び燃焼装置を提供することを目的とする。
【課題を解決するための手段】
【０００９】
本発明は、灯油よりも沸点が低い液体燃料を噴射する第１ノズルと、灯油よりも沸点が低い液体燃料を前記第１ノズルに向けて吐出する第１ポンプと、前記第１ポンプと前記第１ノズルとの間に配置される第１燃料供給弁と、灯油よりも沸点が低い液体燃料を噴射する第２ノズルと、灯油よりも沸点が低い液体燃料を前記第２ノズルに向けて吐出する第２ポンプと、前記第２ポンプと前記第２ノズルとの間に配置される第２燃料供給弁と、を備え、低燃焼から高燃焼に移行する際に、前記第１ノズルが液体燃料の噴射を継続した状態で前記第２ノズルが液体燃料の噴射を行うことで、燃焼量を増加するように制御されるバーナに関する。
【００１０】
また、本発明は、前記バーナと、燃焼室に燃焼用空気を供給する送風機と、前記送風機により送風される燃焼用空気を前記燃焼室に供給する燃焼用空気供給ラインと、前記燃焼用空気供給ラインに配置され燃焼用空気量を調整する空気量調整部と、低燃焼から高燃焼に移行する際に、前記第１ノズルが液体燃料の噴射を継続した状態で前記第２ノズルが液体燃料の噴射を行うことで燃焼量を増加するように制御する燃焼制御部と、を備え、前記燃焼制御部は、前記第２ノズルから液体燃料の噴射を行ってから所定時間遅れて燃焼用空気を増加させるように前記空気量調整部を制御する燃焼装置に関する。
【発明の効果】
【００１１】
本発明によれば、灯油よりも沸点が低い液体燃料を用いるバーナにおいて、低燃焼から高燃焼への移行を安全に行えるバーナ及び燃焼装置を提供することができる。
【図面の簡単な説明】
【００１２】
【図１】本発明の一実施形態のバーナを備える燃焼装置を示す図である。
【発明を実施するための形態】
【００１３】
以下、本発明に係るバーナを備える燃焼装置１の一実施形態について、図面を参照しながら説明する。燃焼装置１は、図１に示すように、缶体１０と、液体燃料を燃焼させるバーナ２０（後述）と、缶体１０に燃焼用空気を送り込む送風機３０と、缶体１０と送風機３０（後述）とを接続し燃焼用空気が流通する給気ダクト４０（燃焼用空気供給ライン）（後述）と、給気ダクト４０に配置されるダンパ５０（空気量調整部）（後述）と、給気ダクト４０に燃料液体燃料を供給する燃料供給部６０と、燃焼装置１の燃焼状態を制御する制御部７０と、を備える。
【００１４】
缶体１０は、図１に示すように、上部ヘッダ１３と下部ヘッダ（図示せず）との間に複数の水管１２を円筒状に立設して構成され、これら水管群の内側は燃焼室１５とされる。
【００１５】
バーナ２０は、缶体１０の中央上方に配置される。バーナ２０は、下方に液体燃料を噴射するように設けられる。バーナ２０から噴射される液体燃料は、円筒状に配置された複数の水管１２の内側で燃焼される。
【００１６】
バーナ２０は、液体燃料を燃焼させるものであり、第１ノズル２１と、第２ノズル２２と、給気筒２５と、を有する。第１ノズル２１は、第１ノズルパイプ２１１と、その下端部に設けられる第１ノズルチップ２１２とを備えて構成される。また、第２ノズル２２は、第２ノズルパイプ２２１と、その下端部に設けられる第２ノズルチップ２２２とを備えて構成される。
【００１７】
第１ノズルパイプ２１１及び第２ノズルパイプ２２１は、それぞれ、上下方向に延びており、隣接して並列に配置される。第１ノズルチップ２１２及び第２ノズルチップ２２２は、隣接して配置され、同一の高さに設けられる。
【００１８】
第１ノズル２１は、第１ノズルパイプ２１１に供給される液体燃料を、第１ノズルチップ２１２から下方へ噴霧する。第２ノズル２２は、第２ノズルパイプ２２１に供給される液体燃料を、第２ノズルチップ２２２から下方へ噴霧する。第１ノズルチップ２１２及び第２ノズルチップ２２２には、後述する燃料供給部６０から液体燃料が供給される。
【００１９】
給気筒２５には、燃焼用空気が流通される。給気筒２５は、同心円筒状に形成され内外二重の筒体から構成され、上下方向に延びる。給気筒２５の内側には、給気筒２５の軸線に沿って、第１ノズルパイプ２１１及び第２ノズルパイプ２２１が設けられる。第１ノズルパイプ２１１及び第２ノズルパイプ２２１は、給気筒１８の下方開口部の下端部近傍まで延びて配置される。
【００２０】
缶体１０は、給気筒２５の下方に設けられる燃焼筒２６と、給気筒２５の上部に設けられるウィンドボックス２７と、を備える。
【００２１】
燃焼筒２６は、給気筒２５の下端に接続され、第１ノズルチップ２１２及び第２ノズルチップ２２２を囲む円筒状に形成され、下方に向けて開放する。
【００２２】
ウィンドボックス２７は、給気筒２５の上部において、給気筒２５に燃焼用空気を供給する。ウィンドボックス２７には、給気ダクト４０（後述）を介して、送風機３０（後述）からの燃焼用空気が導入される。
【００２３】
給気ダクト４０は、上流側が送風機３０（後述）に接続され、下流側がウィンドボックス２７に接続される。給気ダクト４０は、送風機３０により送風される燃焼用空気を燃焼室１５に供給する。
【００２４】
ダンパ５０は、給気ダクト４０に配置される。ダンパ５０は、給気ダクト４０の内部の燃焼用空気の流路を塞いだ閉状態と、この閉状態から９０度回転し、給気ダクト４０の内部の燃焼用空気の流路を開放した開状態との間で回転可能に配置され、回転角度により、燃焼装置１に供給する燃焼用空気の空気量を調整する。
【００２５】
送風機３０は、燃焼室１５に燃焼用空気を供給する。送風機３０からの燃焼用空気は、給気ダクト４０、ウィンドボックス２７及び給気筒２５を介して、燃焼用空気として燃焼室１５へ供給される。このようにして、第１ノズル２１及び第２ノズル２２から液体燃料を噴霧して燃焼させる場合に、ダンパ５０により調整された所定量の燃焼用空気が燃焼室１５内へ供給される。
【００２６】
燃料供給部６０は、第１ノズル２１及び第２ノズル２２に、液体燃料を供給する。燃料供給部６０は、液体燃料供給源６１と、上流側燃料供給ラインＬ１と、第１下流側燃料供給ラインＬ２と、第２下流側燃料供給ラインＬ３と、第１ポンプ６３と、第１開閉弁６４、第１燃料供給弁６５と、第２ポンプ６６と、第２開閉弁６７と、第２燃料供給弁６８と、を有する。
【００２７】
液体燃料供給源６１からは、第１ノズル２１及び第２ノズル２２に、液体燃料が供給される。液体燃料供給源６１から供給される液体燃料は、灯油よりも沸点が低い燃料である。液体燃料は、灯油よりも沸点が低い燃料であるため、揮発性の高い燃料である。本実施形態においては、第１ノズル２１へ供給される液体燃料と第２ノズル２２へ供給される液体燃料とは、同じ液体燃料であり、共通の液体燃料供給源６１から供給される。液体燃料は、重油、軽油または灯油などの標準燃料よりも揮発性の高い燃料であって、例えば、エタノールなどのアルコール類燃料である。
【００２８】
より具体的には、本実施形態における液体燃料は、消防法における危険物第４類の引火性液体において、第一石油類やアルコール類とされるものが該当する。第一石油類としては、例えば、ガソリン、ベンゼン、トルエンなどがある。アルコール類としては、例えば、メタノール、エタノール、プロパノールなどがある。なお、液体燃料には、例えば、有機物とアルコール類とが混合されたものも含まれる。
【００２９】
上流側燃料供給ラインＬ１は、上流側が液体燃料供給源６１に接続され、下流側が分岐部６２に接続される。
第１下流側燃料供給ラインＬ２及び第２下流側燃料供給ラインＬ３は、上流側燃料供給ラインＬ１の下流側端部の分岐部６２において分岐され、分岐部６２から下流側において並列に配置される。第１下流側燃料供給ラインＬ２は、上流側が分岐部６２に接続され、下流側が第１ノズル２１に接続される。第２下流側燃料供給ラインＬ３は、上流側が分岐部６２に接続され、下流側が第２ノズル２２に接続される。
【００３０】
第１下流側燃料供給ラインＬ２には、分岐部６２から第１ノズル２１に向かって順に、第１ポンプ６３、第１開閉弁６４、第１燃料供給弁６５が設けられる。
【００３１】
第１ポンプ６３は、第１下流側燃料供給ラインＬ２の上流側に配置され、液体燃料供給源６１から供給される液体燃料を第１ノズル２１に向けて吐出する。
第１開閉弁６４と第１燃料供給弁６５は電磁弁により構成され、第１ポンプ６３と第１ノズル２１との間において、第１下流側燃料供給ラインＬ２の流路を開放または二重に遮断する。第１開閉弁６４と第１燃料供給弁６５は、第１下流側燃料供給ラインＬ２を介して液体燃料を第１ノズル２１に供給する場合に、ともに開放状態に維持される。
【００３２】
第２下流側燃料供給ラインＬ３には、分岐部６２から第２ノズル２２に向かって順に、第２ポンプ６６、第２開閉弁６７、第２燃料供給弁６８が設けられる。
【００３３】
第２ポンプ６６は、第２下流側燃料供給ラインＬ３の上流側に配置され、液体燃料供給源６１から供給される液体燃料を第２ノズル２２に向けて吐出する。
第２開閉弁６７と第２燃料供給弁６８は電磁弁により構成され、第２ポンプ６６と第２ノズル２２との間において、第２下流側燃料供給ラインＬ３の流路を開放または二重に遮断する。第２開閉弁６７と第２燃料供給弁６８は、第２下流側燃料供給ラインＬ３を介して液体燃料を第２ノズル２２に供給する場合に、ともに開放状態に維持される。
【００３４】
制御部７０は、缶体１０への燃焼用空気の供給量及び液体燃料の供給量を制御することで、燃焼装置１の燃焼状態（燃焼率）を制御し、燃焼装置１による蒸気の生成量を調整する。より具体的には、制御部７０は、燃焼制御部７１を備える。燃焼制御部７１は、燃焼装置１が蒸気を供給する負荷機器による蒸気の消費量に応じて、燃焼装置１の燃焼状態を変更し、蒸気の生成量を調整する。
【００３５】
本実施形態の燃焼装置１は、燃焼停止位置、低燃焼位置及び高燃焼位置の３段階の燃焼位置で燃焼率を段階的に変更して燃焼可能な段階値制御ボイラ（３位置制御ボイラ）により構成される。燃焼量の制御は、例えば、蒸気ヘッダ（図示せず）の蒸気圧に基づき、蒸気の使用負荷を監視して、蒸気圧力制御により行うことができる。
【００３６】
また、燃焼制御部７１は、燃焼状態に応じて、第１ポンプ６３及び第２ポンプ６６を運転・停止動させると共に、第１開閉弁６４及び第１燃料供給弁６５、並びに、第２開閉弁６７及び第２燃料供給弁６８を開閉させ、バーナ２０に供給される液体燃料の流量を制御する。燃焼装置１を低燃焼位置で燃焼させる場合には、第１開閉弁６４と第１燃料供給弁６５を開放し、第２開閉弁６７と第２燃料供給弁６８を閉止すると共に、第１ポンプ６３を運転するか、又は、第１開閉弁６４と第１燃料供給弁６５を閉止し、第２開閉弁６７と第２燃料供給弁６８を開放すると共に、第２ポンプ６６を運転する。燃焼装置１を高燃焼位置で燃焼させる場合には、第１開閉弁６４と第１燃料供給弁６５を開放し、第２開閉弁６７と第２燃料供給弁６８を開放すると共に、第１ポンプ６３と第２ポンプ６６の両方を運転する。燃焼制御部７１は、低燃焼から高燃焼に移行する際に、低燃焼の状態を維持したままで、液体燃料の供給が停止している側の開閉弁（第１開閉弁６４又は第２開閉弁６７）と燃料供給弁（第１燃料供給弁６５又は第２燃料供給弁６８）を開放すると共に燃料ポンプ（第１ポンプ６３、第２ポンプ６６）を運転し、ノズル（第１ノズル２１、第２ノズル２２）から液体燃料の噴射を行うことで燃焼量を増加するように制御する。
【００３７】
燃焼制御部７１は、それぞれの燃焼位置に応じてダンパ５０の開度を変更して燃焼室１５に供給される燃焼用空気の流量を制御する。本実施形態では、燃焼制御部７１は、第２ノズル２２から液体燃料の噴射を行ってから所定時間遅れて、燃焼用空気を増加させるようにダンパ５０の開度を制御する。燃焼用空気を増加させる所定時間の遅れ時間は、実験などにより予め設定される。
【００３８】
以上のように構成される燃焼装置１について、低燃焼状態から高燃焼状態に移行させる場合の動作について説明する。
まず、蒸気ヘッダ（図示せず）の蒸気圧に基づいて、燃焼装置１を低燃焼状態で動作させる場合には、低燃焼位置で燃焼させるために、第１開閉弁６４と第１燃料供給弁６５を開放すると共に、第２開閉弁６７と第２燃料供給弁６８を閉止して、第１ポンプ６３を運転するように制御する。これにより、第２ノズル２２からは液体燃料は噴霧されずに、第１ノズル２１のみから液体燃料が噴霧された状態で、液体燃料は、燃焼室１５において燃焼される。
【００３９】
低燃焼状態において、送風機３０は、低燃焼状態において供給される空気量に調整された燃焼用空気を燃焼室１５に供給する。送風機３０により供給された燃焼用空気は、第１ノズル２１から噴射された液体燃料と混合されて、燃焼される。そして、燃焼に伴って発生する熱により、下部ヘッダ（図示せず）から複数の水管１２の内部に供給された水が加熱され、蒸気が生成される。複数の水管１２の内部において生成された蒸気は、上部ヘッダ１３に集合された後、蒸気導出管（図示せず）を介して外部に導出される。
【００４０】
その後、低燃焼状態から高燃焼状態へ移行する場合には、高燃焼位置で燃焼させるために、第１開閉弁６４と第１燃料供給弁６５を開放すると共に第１ポンプ６３を運転した状態を継続したままで、第２開閉弁６７と第２燃料供給弁６８を開放して、第２ポンプ６６を運転するように制御する。これにより、第１ノズル２１に加えて、第２ノズル２２からも液体燃料が噴霧された状態で、液体燃料は、燃焼室１５において燃焼される。
【００４１】
従来、吐出圧力を一定にする機構を備えるポンプを使用して低燃焼から高燃焼に移行する際に燃料の供給流量を増加させようとした場合に、電磁弁の開閉動作などの影響により、ポンプの吐出圧力機構の応答遅れ（動作遅れ）が生じ、一時的に、燃料の供給流量が低下することがあった。この場合、燃料と燃焼用空気の混合比（空気比）における燃焼用空気の割合が一時的に増加して、燃焼用空気の割合が高い状態で燃焼する可能性があった。
また、バーナに供給する燃料として、アルコールなどの灯油よりも沸点が低い液体燃料（揮発性の高い液体燃料）を使用する場合に、バーナは、ポンプの吐出圧力機構の応答遅れ（動作遅れ）に加えて、液体燃料が気化して失われることにより、液体燃料の供給流量の低下が顕著になり、燃焼用空気の割合が高い状態で燃焼する可能性がより高くなっていた。
また、揮発性の高い液体燃料を使用する場合に、ノズル内（燃料供給用の電磁弁からノズルチップまでの間）の液体燃料が気化して失われることで、低燃焼から高燃焼に移行する際に、バーナの火炎が消えることがある。この場合に、バーナの火炎が消えてから失火判定までの間、加熱されたボイラ（燃焼装置）の燃焼室に、ノズルから液体燃料が噴射し続けられる。これにより、揮発性の高い液体燃料が気化することで、爆発的な燃焼が起こる虞があった。
【００４２】
これに対して、本発明では、低燃焼から高燃焼に移行する際に、第１ポンプ６３の運転を継続して第１ノズル２１が液体燃料の噴射を行っている状態で、第２ポンプ６６の運転を開始して第２ノズル２２が液体燃料の噴射を行うことで、燃焼量を増加するように制御される。これにより、低燃焼から高燃焼に移行する際に、第１ポンプ６３は常に一定の吐出量が維持され、第１ポンプ６３の動作遅れが生じない。また、第１ポンプ６３が運転している状態で第２ポンプ６６が運転を開始することで、第２ノズル２２内（第２燃料供給弁６８から第２ノズルチップ２２２までの間）の液体燃料が気化して失われていた場合でも、第１ノズル２１から燃料が噴射されているため失火を抑制できる。よって、低燃焼から高燃焼への移行を安全に行うことができる。
【００４３】
ここで、低燃焼から高燃焼への燃焼量の移行に伴い、送風機３０から燃焼室１５へ供給される燃焼用空気の空気量が調整される。本実施形態においては、第２ノズル２２から液体燃料の噴射を行ってから所定時間遅れて燃焼用空気を増加させるようにダンパ５０の開度を制御する。これにより、低燃焼から高燃焼に移行する際に、第２ノズル２２からの液体燃料の供給が遅れても、燃焼用空気の割合が急激に増加することが抑制される。よって、低燃焼から高燃焼への移行を安全に行うことができる。
【００４４】
上述した本実施形態に係るバーナ２０及び燃焼装置１によれば、例えば、以下のような効果が奏される。
本実施形態のバーナ２０は、灯油よりも沸点が低い液体燃料を噴射する第１ノズル２１と、灯油よりも沸点が低い液体燃料を第１ノズル２１に向けて吐出する第１ポンプ６３と、第１ポンプ６３と第１ノズル２１との間に配置される第１燃料供給弁６５と、灯油よりも沸点が低い液体燃料を噴射する第２ノズル２２と、灯油よりも沸点が低い液体燃料を第２ノズル２２に向けて吐出する第２ポンプ６６と、第２ポンプ６６と第２ノズル２２との間に配置される第２燃料供給弁６８と、を備え、低燃焼から高燃焼に移行する際に、第１ノズル２１が液体燃料の噴射を継続した状態で第２ノズル２２が液体燃料の噴射を行うことで、燃焼量を増加するように制御される。これにより、低燃焼から高燃焼に移行する際に、第１ポンプ６３は常に一定の吐出量が維持され、第１ポンプ６３の動作遅れが生じない。また、第１ポンプ６３が運転している状態で第２ポンプ６６が運転を開始することで、第２ノズル２２内（第２燃料供給弁６８から第２ノズルチップ２２２までの間）の液体燃料が気化して失われていた場合でも、第１ノズル２１から燃料が噴射されているため失火を抑制できる。よって、低燃焼から高燃焼への移行を安全に行うことができる。
【００４５】
また、本実施形態の燃焼装置１は、バーナ２０と、燃焼室１５に燃焼用空気を供給する送風機３０と、送風機３０により送風される燃焼用空気を燃焼室１５に供給する給気ダクト４０と、給気ダクト４０に配置され燃焼用空気量を調整するダンパ５０と、低燃焼から高燃焼に移行する際に、第１ノズル２１が液体燃料の噴射を継続した状態で第２ノズル２２が液体燃料の噴射を行うことで燃焼量を増加するように制御する燃焼制御部７１と、を備え、燃焼制御部７１は、第２ノズル２２から液体燃料の噴射を行ってから所定時間遅れて燃焼用空気を増加させるようにダンパ５０を制御する。これにより、第２ノズル２２から液体燃料の噴射を行ってから所定時間遅れて燃焼用空気を増加させるため、低燃焼から高燃焼に移行する際に、燃焼用空気の割合が急激に或いは過剰に増加することが抑制される。よって、低燃焼から高燃焼への移行を安全に行うことができる。
【００４６】
以上、本発明の好ましい実施形態について説明した。しかし、本発明は、上述した実施形態に限定されることなく、種々の形態で実施することができる。
例えば、前記実施形態では、低燃焼で燃焼させる場合に、第１燃料供給弁６５のみを開放し、低燃焼から高燃焼に移行する際に、第１燃料供給弁６５の開放した状態で第２燃料供給弁６８を開放するように制御したが、これに限らない。即ち、第１燃料供給弁６５及び第２燃料供給弁６８の開放する制御を逆にしてもよく、低燃焼で燃焼させる場合に、第２燃料供給弁６８のみを開放し、低燃焼から高燃焼に移行する際に、第２燃料供給弁６８の開放した状態で第１燃料供給弁６５を開放するように制御してもよい。
【００４７】
また、前記実施形態では、燃料供給弁（第１燃料供給弁６５、第２燃料供給弁６８）を、電磁弁としたが、これに限られず、モータバルブ等でもよく、また、開度調整できる弁を用いてもよい。
【００４８】
また、前記実施形態では、本発明の燃焼装置１を、３位置制御のボイラに適用したが、これに限らない。即ち、本発明の燃焼装置１を、複数の中燃焼位置を有する４位置制御以上のボイラ或いは連続燃焼制御のボイラに適用してもよい。
【符号の説明】
【００４９】
１  燃焼装置
１５  燃焼室
２０  バーナ
２１  第１ノズル
２２  第２ノズル
３０  送風機
４０  給気ダクト（燃焼用空気供給ライン）
５０  ダンパ（空気量調整部）
６３  第１ポンプ
６５  第１燃料供給弁
６６  第２ポンプ
６８  第２燃料供給弁
７１  燃焼制御部
【図１】
2019109000.tif 000003